(57)【特許請求の範囲】
【請求項１】
車軸ハブの中心軸位置に偏芯重錘を回動自在に軸支すると共に、該偏芯重錘を取り囲むケースを前記車軸ハブに取り付け、これらケース及び偏芯重錘に相対的な回転数を計測する非接触式の計数機構を配設し、かつ該計数機構の計数データを保存するメモリと、該メモリの保存データを車両又はオドメータを特定するためのＩＤデータと共に送信する送信回路と、外部からの呼び掛け波を受信する受信器とを前記偏芯重錘に設け、該呼び掛け波に基づいて前記送信回路を作動させるようにした車軸用オドメータ。
【請求項２】
前記非接触式の計数機構を、磁石と、磁気ピックアップコイルとから構成した請求項１に記載の車軸用オドメータ。
【請求項３】
前記非接触式の計数機構を、投光源及び光センサと、遮光板又は反射板とから構成した請求項１に記載の車軸用オドメータ。
【請求項４】
前記非接触式の計数機構を、高周波磁界の共振周波数変化を検出する近接センサと、検出用金属片とから構成した請求項１に記載の車軸用オドメータ。
【請求項５】
前記計数機構を複数設け、これら計数機構の計数位置を互いにハブ周方向にずらした請求項１乃至請求項４のいずれか１項に記載の車軸用オドメータ。
【請求項６】
車軸ハブの中心軸位置に偏芯重錘を回動自在に軸支すると共に、該偏芯重錘を取り囲むケースを前記車軸ハブに取り付け、これらケース及び偏芯重錘に相対的な回転数を計測する非接触式の計数機構を配設し、かつ該計数機構の計数データを保存するメモリと、該メモリの保存データを車両又はオドメータを特定するためのＩＤデータと共に送信する送信回路と、外部からの呼び掛け波を受信する受信器とを前記偏芯重錘に設け、該呼び掛け波に基づいて前記送信回路を作動させるようにした車軸用オドメータを用いた走行距離データの管理方法であって、前記計数データに基づくタイヤ回転数を走行距離に変換し、その走行距離を前記ＩＤデータと共に管理するようにした走行距離データの管理方法。
【請求項７】
前記計数機構を複数設け、これら計数機構の計数位置を互いにハブ周方向にずらした車軸用オドメータを用い、前記複数の計数機構から得られる計数データの波形の違いに基づいて車輪の回転方向を特定し、その回転方向と走行距離とを関連付けて管理するようにした請求項６に記載の走行距離データの管理方法。
【発明の詳細な説明】
【０００１】
【発明の属する技術分野】
本発明は、トレーラーや産業用車両等の走行距離を計測する車軸用オドメータに関し、さらに詳しくは、車輪の回転方向に拘らず走行距離を正確に計測すると共に、そのデータ管理を容易にした車軸用オドメータ及びそれを用いた走行距離データの管理方法に関する。
【０００２】
【従来の技術】
トレーラーや産業用車両等においては車軸にオドメータを取り付け、車軸部分で独立に走行距離を測定することが行われている。このような車軸用オドメータを取り付けることにより、例えばトレーラーの車体が運転席から切り離された場合であっても、車体の走行距離を計測することが可能になる。
【０００３】
従来、上記車軸用オドメータは歯車等を利用した機械的な回転数計数機構を備え、その走行距離を直接表示するようになっている。しかしながら、上述したような機械的なオドメータでは走行距離を車軸の所まで行って目視により読み取る必要があり、しかもオドメータが汚れている場合には読み取りが困難であるため、走行距離のデータ管理が煩雑であるという問題があった。また、機械的なオドメータでは車輪の回転方向が正回転に対して逆回転となったとき走行距離が減じられてしまうので、特に前後動を頻繁に行う産業用車両では走行距離を正確に計測することができないという問題があった。
【０００４】
【発明が解決しようとする課題】
本発明の目的は、車輪の回転方向に拘らず走行距離を正確に計測すると共に、そのデータ管理を容易にした車軸用オドメータ及びそれを用いた走行距離データの管理方法を提供することにある。
【０００５】
【課題を解決するための手段】
上記目的を達成するための本発明の車軸用オドメータは、車軸ハブの中心軸位置に偏芯重錘を回動自在に軸支すると共に、該偏芯重錘を取り囲むケースを前記車軸ハブに取り付け、これらケース及び偏芯重錘に相対的な回転数を計測する非接触式の計数機構を配設し、かつ該計数機構の計数データを保存するメモリと、該メモリの保存データを車両又はオドメータを特定するためのＩＤデータと共に送信する送信回路と、外部からの呼び掛け波を受信する受信器とを前記偏芯重錘に設け、該呼び掛け波に基づいて前記送信回路を作動させるようにしたことを特徴とするものである。
また、上記目的を達成するための本発明の走行距離データの管理方法は、車軸ハブの中心軸位置に偏芯重錘を回動自在に軸支すると共に、該偏芯重錘を取り囲むケースを前記車軸ハブに取り付け、これらケース及び偏芯重錘に相対的な回転数を計測する非接触式の計数機構を配設し、かつ該計数機構の計数データを保存するメモリと、該メモリの保存データを車両又はオドメータを特定するためのＩＤデータと共に送信する送信回路と、外部からの呼び掛け波を受信する受信器とを前記偏芯重錘に設け、該呼び掛け波に基づいて前記送信回路を作動させるようにした車軸用オドメータを用いた走行距離データの管理方法であって、前記計数データに基づくタイヤ回転数を走行距離に変換し、その走行距離を前記ＩＤデータと共に管理するようにしたことを特徴とするものである。
【０００６】
このように走行距離の算出基準になる車軸ハブの回転数の計測に非接触式の計数機構を用いることにより、車輪の回転方向に拘らず走行距離を正確に計測することができる。また、計数機構の計数データを送信可能に構成することにより、そのデータを任意のデータ管理装置などに表示することができ、走行距離を車軸毎に目視により読み取る必要がなくなるのでデータ管理を容易に行うことができる。
【０００７】
上記計数データを送信する手段としては、計数データを保存するメモリと、該メモリの保存データを送信する送信回路と、外部からの呼び掛け波を受信する受信器とを設け、該呼び掛け波に基づいて前記送信回路を作動させるようにすれば良い。また、前記非接触式の計数機構は、磁石と磁気ピックアップコイルとの組みあわせ、投光源と光センサと遮光板との組み合わせ、投光源と光センサと反射板との組み合わせ、或いは高周波磁界の共振周波数変化を検出する近接センサと検出用金属片との組み合わせから構成することができる。
【０００８】
上記計数機構は単独で設けてもよく、或いは複数設けても良い。特に、複数の計数機構の計数位置を互いにハブ周方向にずらすことにより、それらの計数データに基づいて車輪の回転方向を特定できるので、回転方向と走行距離を関連付けたデータ管理が可能になる。
【０００９】
【発明の実施の形態】
以下、本発明の構成について添付の図面を参照して詳細に説明する。
図１は本発明の実施形態からなる車軸用オドメータを装着した車輪を例示するものであり、図２及び図３はその車軸用オドメータを示すものである。
【００１０】
図において、車軸Ｓの端部には軸受けＡを介して車軸ハブＨが回動自在に取り付けられている。車軸ハブＨの外周部にはフランジが一体的に設けられており、このフランジに複輪ホイールＷがボルト固定されている。複輪ホイールＷには内側輪及び外側輪としてそれぞれタイヤＴが装着されている。
【００１１】
オドメータ１は車軸ハブＨに対して取り付けられている。図２及び図３に示すように、ケース２は円筒部２ａと側部２ｂとを有し、その側部２ｂが車軸ハブＨに対してボルト等により固定されている。また、円筒部２ａの開放端には着脱自在のカバー３が螺合されている。
【００１２】
ケース２の側部２ｂには車軸ハブＨの中心軸位置に回転軸４が立設されており、この回転軸４の廻りに偏芯重錘５がベアリング６を介して回動自在に軸支されている。この偏芯重錘５は偏芯構造を有しているため、自重によって回転軸４から垂下した状態を常に維持する。ケース２の内周面には磁石７が取り付けられている一方で、偏芯重錘５には磁気ピックアップコイル８が取り付けられ、これら磁石７と磁気ピックアップコイル８とがケース２及び偏芯重錘５の相対的な回転数を計測する非接触式の計数機構を構成している。
【００１３】
また、偏芯重錘５には磁気ピックアップコイル８からの計数データを保存するメモリ（ＥＥＰＲＯＭ）及び該メモリの保存データを送信する送信回路を含む主回路９と、高周波回路及びアンテナからなる受信器１０と、これら主回路９及び受信器１０を駆動する電池１１とが搭載されている。この受信器１０が外部からの呼び掛け波を受信すると、該呼び掛け波により送信回路が作動して計数データを送信するようになっている。送信回路から送信される計数データは任意のデータ管理装置などに表示することができる。
【００１４】
次に、上述した車軸用オドメータの動作について説明する。複輪ホイールＷ及びタイヤＴからなる車輪が回転すると、その回転に伴って車軸ハブＨが回転する。このとき、車軸ハブＨに取り付けられたケース２は車軸ハブＨと共に回転するものの、ケース２に対して回動自在に軸支された偏芯重錘５は車軸ハブＨの中心軸位置から垂下した状態を維持し、偏芯重錘５とケース２との間に相対的な回転を生じる。これにより、磁石７と磁気ピックアップコイル８とが周期的に互いに近接するので、磁気ピックアップコイル８が磁力の変化に基づいて回転数を計測する。例えば、磁気ピックアップコイル８のコイル電圧は図４（ａ）のように変化し、これを所定の閾値にて二値化すると図４（ｂ）のように周期ｔの回転が検出される。
【００１５】
上記磁気ピックアップコイル８の計数データは主回路９のメモリに一旦保存される。このメモリに保存された計数データを読み出す場合は、外部から呼び掛け波を送信し、これを受信器１０が受信すると、その呼び掛け波に応じて送信回路が作動してメモリに保存された計数データを送信する。なお、この送信データには計数データのほかに、車両やオドメータを特定するためのＩＤ、電池のモニタするためのデータなどを含むようにしても良い。
【００１６】
上述した車軸用オドメータでは、計数機構の計数データを送信可能に構成しているので、車軸の所まで行かなくても車両に装着されたタイヤの回転数をモニタすることができる。また、得られる計数データは機械的な出力ではなく電子的データであるので、タイヤ回転数と走行距離との変換を自動的に行うことができる。この計数データには車両のＩＤ等を含めることが可能であるので、車両に対応させたデータ処理も簡単に行うことができる。
【００１７】
更に、上述した車軸用オドメータでは、回転数の計測に非接触式の計数機構を用いているので、車輪の回転方向に拘らず走行距離を正確に計測することができる。即ち、車輪が正回転及び逆回転のいずれであっても回転数が計測されるので、従来の機械式オドメータのように逆回転によって走行距離が減じられてしまうことはなく、信頼性が高いデータを得ることができる。なお、本発明の車軸用オドメータでは非接触式の計数機構を採用しているので、従来の機械式オドメータに比べて耐久性が高いという利点もある。
【００１８】
本発明において、非接触式の計数機構は、図５に示すようにケース２の内周面に取り付けた遮光板１７と、偏芯重錘５に取り付けたセンサユニット１８から構成しても良い。このセンサユニット１８は遮光板１７の両面側に投光源（投光部）１８ａと光センサ（受光部）１８ｂとを備えており、これら投光源１８ａと光センサ１８ｂとの間を遮光板１７が通過する毎に回転数を計測するようになっている。この場合も、車輪の回転方向に拘らず走行距離を正確に計測することができる。
【００１９】
但し、非接触式の計数機構は上記各実施形態に限定されるものではなく、非接触式であれば種々の形態のものを用いることができる。例えば、ケースの内周面の一部に反射板を取り付ける一方で、偏芯重錘に投光源及び光センサを取り付け、投光源から放たれる光を反射板で反射して光センサで受光することにより回転数を計測するようにしても良い。また、ケースの内周面の一部に検出用金属片を取り付ける一方で、偏芯重錘に高周波磁界の共振周波数変化を検出する近接センサを取り付けるようにしても良い。
【００２０】
更に、本発明の車軸用オドメータでは、非接触式の計数機構を複数設け、これら計数機構の計数位置を互いにハブ周方向にずらすようにしても良い。例えば、図６及び図７に示すように、磁石７と磁気ピックアップコイル８ａからなる計数機構と、磁石７と磁気ピックアップコイル８ｂからなる計数機構とを設け、これら２組の計数機構を互いに回転位相がずれるように配置する。
【００２１】
このように２組の計数機構を互いにずらして配置した場合、コイル８ａ，８ｂのコイル電圧はＲ方向の回転時に図８（ａ）のようになり、Ｌ方向の回転時に図８（ｂ）のようになる。そのため、両波形の違いから車輪の回転方向を特定できるので、回転方向と走行距離を関連付けたデータ管理が可能になる。例えば、前進で１０ｋｍ走行し、後退で２ｋｍ走行した場合、走行距離として単に１２ｋｍが計測されるのではなく、前進で１０ｋｍと後退で２ｋｍというデータが得られるのである。
【００２２】
【発明の効果】
以上説明したように本発明によれば、車軸ハブの中心軸位置に偏芯重錘を回動自在に軸支すると共に、該偏芯重錘を取り囲むケースを前記車軸ハブに取り付け、これらケース及び偏芯重錘に相対的な回転数を計測する非接触式の計数機構を配設し、かつ該計数機構の計数データを保存するメモリと、該メモリの保存データを車両又はオドメータを特定するためのＩＤデータと共に送信する送信回路と、外部からの呼び掛け波を受信する受信器とを前記偏芯重錘に設け、該呼び掛け波に基づいて前記送信回路を作動させるようにしたので、車輪の回転方向に拘らず走行距離を正確に計測することができ、しかもそのデータ管理を容易に行うことができる。
従って、本発明の車軸用オドメータを用いれば、トレーラーや産業用車両などの走行距離を簡単かつ精度良く管理することが可能になる。
【図面の簡単な説明】
【図１】本発明の実施形態からなる車軸用オドメータを装着した車輪を例示する断面図である。
【図２】本発明の実施形態からなる車軸用オドメータを示す正面図である。
【図３】図２に示す車軸用オドメータの断面図である。
【図４】図２の実施形態における磁気ピックアップコイル（非接触式の計数機構）のコイル電圧を示すものであり、（ａ）は波形図、（ｂ）は二値化した波形図である。
【図５】非接触式の計数機構の変形例を示す断面図である。
【図６】本発明の他の実施形態からなる車軸用オドメータを示す正面図である。
【図７】図６に示す車軸用オドメータの断面図である。
【図８】図６の実施形態における磁気ピックアップコイル（非接触式の計数機構）のコイル電圧を示すものであり、（ａ）はＲ方向の回転時の二値化した波形図、（ｂ）はＬ方向の回転時の二値化した波形図である。
【符号の説明】
１  オドメータ
２  ケース
３  カバー
４  回転軸
５  偏芯重錘
６  ベアリング
７  磁石
８  磁気ピックアップコイル
９  主回路
１０  受信器
１１  電池
Ｈ  車軸ハブ
【図１】
0004225621.tif 000002
【図２】
0004225621.tif 000003
【図３】
0004225621.tif 000004
【図４】
0004225621.tif 000005
【図５】
0004225621.tif 000006
【図６】
0004225621.tif 000007
【図７】
0004225621.tif 000008
【図８】
0004225621.tif 000009